(57)【特許請求の範囲】
【請求項１】
靴底部に設置されるヒール基部と、
前記ヒール基部の下面に設置される接地部と、
を備え、
前記ヒール基部および接地部のいずれか一方に嵌合凹部が設けられ、いずれか他方に前記嵌合凹部に挿入されることにより、ぴったりと嵌合される嵌合凸部が設けられ、
前記嵌合凹部と嵌合凸部をはめ込むことにより、前記ヒール基部と接地部は一体化する構造の靴用ヒールであって、
前記嵌合凹部と嵌合凸部とが隙間なく嵌り込むことで、当該靴用ヒールは歩行により加わる前後、左右及び垂直圧縮方向の力を前記ヒール基部と接地部のぴったりとした接触面全体で負担し、
前記ヒール基部と接地部とを着脱自在な着脱手段を備え、
前記着脱手段は、前記ヒール基部と接地部のうち、前記嵌合凸部が形成されたいずれか一方に、はめ込む方向の側方へ進退可能に突出する固定ピンが設置され、前記嵌合凹部が設けられたいずれか他方に嵌合された際にその固定ピン先端と対応する位置に設けられた、該固定ピンがガタツキなく挿入される固定孔と、該固定孔開口の反対側外側面より押圧することにより、前記固定孔内に挿入された固定ピン頭部を少なくとも嵌合凹部壁面面一にまで押し出し可能な解除ピンと、を備え、
前記嵌合凹部の開口部は、前記固定ピンと対応する位置にテーパを有していることを特徴とする靴用ヒール。
【請求項２】
請求項１の靴用ヒールであって、
前記嵌合凹部は略鉛直方向へ深さを有しており、前記嵌合凹部に前記嵌合凸部を略鉛直方向へ挿入することにより、前記ヒール基部と接地部が一体化することを特徴とする靴用ヒール。
【請求項３】
請求項１の靴用ヒールであって、
前記嵌合凸部は、ヒール基部と接地部が対向する面のいずれか一方から突出し、靴用ヒール後方に向かって略水平方向への奥行きを有しており、突出先端部が拡幅しているＴ字型の形状であって、
前記嵌合凹部は、ヒール基部または接地部のいずれか他方に設けられ、前記嵌合凸部を略水平方向に挿入可能な孔穴であって、
前記嵌合凸部を前記嵌合凹部に挿入することにより、前記ヒール基部と接地部が一体化することを特徴とする靴用ヒール。
【発明の詳細な説明】
【技術分野】
【０００１】
本発明は靴用ヒール、特にそのヒール交換機能の改良に関する。
【背景技術】
【０００２】
靴用のヒールは摩耗、破損を生じやすく、また女性用のハイヒール靴はそのヒール部分の形態、装飾など、ファッション性にも大きな配慮が払われる。このため、靴のヒール部分は、経時、あるいは靴の使用場面によってその交換が頻繁に要求される部分であり、従来より各種のヒール交換機構が考えられている。
例えば先行特許文献１にはハイヒールとローヒールの切替機構が開示されており、先行特許文献２にはヒールの交換機構が開示されており、先行特許文献３にはヒールの部分交換機構が開示されている。
【先行技術文献】
【特許文献】
【０００３】
【特許文献１】特許第４８４０９４９号
【特許文献２】特開平１０−６６６０７
【特許文献３】特開２００５−２３７６１５
【発明の概要】
【発明が解決しようとする課題】
【０００４】
しかしながら、従来のヒール交換、あるいは切替機構では、歩行時に躓いた場合などに接合部分に応力が集中し、ヒールが外れてしまうことがあり、安全上の観点からも改善が望まれていた。
本発明は前記従来技術に鑑みなされたものであり、その解決すべき課題は容易にヒール接地部の交換が可能で、且つ歩行時に不意に外れることのない靴用ヒールを提供することにある。
【課題を解決するための手段】
【０００５】
前記課題を解決するために、本発明にかかる靴用ヒールは、
靴底部に設置されるヒール基部と、
前記ヒール基部の下面に設置される接地部と、
を備え、
前記ヒール基部および接地部のいずれか一方に嵌合凹部を設けられ、いずれか他方に前記嵌合凹部に挿入されることにより、ぴったりと嵌合される嵌合凸部を設けられ、
前記嵌合凹部と嵌合凸部をはめ込むことにより、前記ヒール基部と接地部が一体化する構造の靴用ヒールであって、
前記ヒール基部と接地部とを着脱自在な着脱手段を備え、
前記着脱手段は、前記ヒール基部と接地部のいずれか一方に、はめ込む方向の側方へ進退可能に突出する固定ピンが設置され、いずれか他方に嵌合された際にその固定ピン先端と対応する位置に設けられた、該固定ピンがガタツキなく挿入される固定孔と、該固定孔開口の反対側外側面より押圧することにより、前記固定孔内に挿入された固定ピン頭部を少なくとも嵌合凹部壁面面一にまで押し出し可能な解除ピンと、を備えることを特徴とする。
【０００６】
また、本発明にかかる靴用ヒールは、
前記嵌合凹部は略鉛直方向へ深さを有しており、前記嵌合凹部に前記嵌合凸部を略鉛直方向へ挿入することにより、前記ヒール基部と接地部が一体化することを特徴とする。
【０００７】
また、本発明にかかる靴用ヒールは、
前記嵌合凸部は、ヒール基部と接地部が対向する面のいずれか一方から突出し、靴用ヒール後方に向かって略水平方向への奥行きを有しており、突出先端部が拡幅しているT字型の形状であって、
前記嵌合凹部は、ヒール基部または接地部のいずれか他方に設けられ、前記嵌合凸部を略水平方向に挿入可能な孔穴であって、
前記嵌合凸部を前記嵌合凹部に挿入することにより、前記ヒール基部と接地部が一体化することを特徴とする。
【発明の効果】
【０００８】
本発明にかかる靴用ヒールによれば、ヒール基部と、該ヒール基部下面に取り付けられる接地部が、いずれかに設けられた嵌合凸部及び他方に設けられた嵌合凹部のはめ込みにより取り付けられるため、ヒールにかかる前後、左右及び圧縮方向の力は嵌合凸部と嵌合凹部の接触面を含めたヒール基部と接地部の接触面全体で分散して支えられる。
そして、固定ピンと固定孔による固定は、ヒール基部から接地部が抜け出ることを防止するのみであり、応力の集中が生じず、固定部破損による事故も生じない。
【図面の簡単な説明】
【０００９】
【図１】本発明にかかる靴用ヒールが適用された婦人用ハイヒール靴の説明図である。
【図２】本発明の第一実施形態にかかる靴用ヒールの構造説明図である。
【図３】本発明の第一実施形態にかかる靴用ヒールの、基部への接地部の取付過程の説明図である。
【図４】本発明の第一実施形態にかかる靴用ヒールの、基部への接地部取付状態の説明図である。
【図５】本発明の第一実施形態にかかる靴用ヒールの、基部から接地部の取外し過程の説明図である。
【図６】本発明の第二実施形態にかかる靴用ヒールが適用された紳士用靴の説明図である。
【図７】本発明の第二実施形態にかかる靴用ヒールの基部と接地部の概略図である。
【図８】本発明の第二実施形態にかかる靴用ヒールの、ヒール基部と接地部の嵌合図である。
【図９】本発明の第二実施形態にかかる靴用ヒールの、構造説明図である。
【図１０】本発明の第二実施形態にかかる靴用ヒールの基部への接地部取付過程の説明図である。
【図１１】本発明の第二実施形態にかかる靴用ヒールの基部への接地部取付状態の説明図である。
【図１２】本発明の第二実施形態にかかる靴用ヒールの、基部から接地部の取外し過程の説明図である。
【発明を実施するための形態】
【００１０】
以下、図面に基づき本発明の好適な実施形態を説明する。
＜第一実施形態＞
図１は本発明の靴用ヒール１０が適用された女性用ハイヒール靴１２を示している。
同図に示すように、靴用ヒール１０は、靴１２の底面に設置されたヒール基部１４と、該ヒール基部１４下面に設置され、その下方に延伸する接地部１６と、を備える。
図２に本発明において特徴的な靴用ヒール１０の部分断面図が示されている。
同図に示すように、ヒール基部１４には、その底面（接地部１６との接合部）に角柱状嵌合凹部１８が設けられている。該嵌合凹部１８の図中左方（靴１２の前方）壁面には固定孔２０が設けられている。
該固定孔２０の奥（図中左方）は開口径が拡大し、リリースボタン２２と、該リリースボタン２２の解除ピン２４を狭径固定孔２０から退避させる方向へ付勢するバネ２６と、を備える。
また、前記接地部１６は、その頂部に嵌合凸部３０を備え、該嵌合凸部３０は前記嵌合凹部１８にぴったりと嵌る形状を有している。そして、該嵌合凸部３０は、先端に突出自在な固定ピン３２を備えたねじ込み部材３４を有し、嵌合凸部３０が嵌合凹部１８に嵌合された状態で該固定ピン３２は前記固定孔２０に対応する。
本実施形態にかかる靴用ヒール１０は概略以上のように構成され、以下にヒール基部１４への接地部１６の取付状態と取外し状態を説明する。
前記図２に示した、ヒール基部１４と接地部１６を分離した状態より、接地部１６の嵌合凸部３０をヒール基部１４の嵌合凹部１８に挿入する（図３）。この際、嵌合凹部１８の開口部には、固定ピン３２に対応する位置にテーパ３６が設けられており、固定ピン３２はテーパ３６に従ってねじ込み部材３４内へ後退し、挿入の妨げになることはない。
さらに嵌合凸部３０を嵌合凹部１８へ押し込むと、図４に示すように嵌合凸部３０は嵌合凹部１８にぴったりと嵌まり込み、この状態で固定ピン３２は固定孔２０に位置し、ねじ込み部材３４内の付勢バネにより、固定孔２０内へ突出する。したがって、ヒール基部１４より接地部１６が抜け落ちてしまうことはない。
また、嵌合凸部３０と嵌合凹部１８とはほぼ隙間なく嵌まり込むため、気密状態となり嵌合凸部３０を押し込むことが困難となる場合もある。このため、本実施形態においては、嵌合凹部１８の頂部に空気抜け孔３８を設けている。なお、本実施形態では空気抜け孔３８を靴底面方向に設けているが、側方に抜けるようにしてもよい。
本実施形態において、歩行時には接地部１６に前後、左右及び垂直圧縮方向へ大きな力が加わるが、これらは基本的に嵌合凸部３０、嵌合凹部１８を含めた、ヒール基部１４と接地部１６のぴったりとした接触面全体で負担し、嵌合凸部３０ないし嵌合凹部１８に破損を生じない限り、前後、左右及び垂直圧縮方向の力が固定ピン３２に集中することはなく、安定した歩行が可能である。嵌合凸部３０を嵌合凹部１８より引き抜く方向に力が加わった場合にのみピン３２に力がかかるが、本発明者らの試験によっても、実際の歩行時にこのような力が加わることはなく、極めて安定した歩行が可能である。
次に、接地部１６を交換する際には、図５に示すようにリリースボタン２２をバネ２６に抗して押し込む。そうすると、該リリースボタン２２先端の解除ピン２４は固定孔２０内に押し込まれ、固定ピン３２を固定孔２０より押し出す。この状態で接地部１６を引き出せば、容易に接地部１６の取外しを行うことができる。このように、リリースボタン２２の押し込みと接地部１６の引き抜きという、通常の歩行状態では同時に起こりえない作業を同時に行うことによってのみ、接地部１６の取外しが可能となる。
なお、前記実施形態においては、嵌合凹部を基部に、また嵌合凸部を接地部に設けたが、ヒール基部に嵌合凸部を、また接地部に嵌合凹部を設けてもよい。
また、接地部は、ヒール基部に対して設置方向に設けられる部材という意味であり、接地面には他の部材をさらに設けてもよい。
【００１１】
以上が本発明の女性用ハイヒール靴であって、以下、本発明の第二実施形態として男性用靴について説明する。
＜第二実施形態＞
図６は本発明の靴用ヒール１１０が適用された男性用靴１１２を示している。
同図に示すように、靴用ヒール１１０は、靴１１２の底面に設置されたヒール基部１１４と、該ヒール基部１１４下面に設置された接地部１１６と、を備える。
図７にヒール基部１１４と接地部１１６の概略図を示す。
同図に示すように、ヒール基部１１４には嵌合凸部１３０が設けられており、接地部１１６には嵌合凹部１１８が設けられている。嵌合凸部１３０はヒール基部１１４の下面（接地部１１６と対向する面）から略鉛直方向に突出しており、且つヒール基部後方へ向かって奥行きを有している。また突出先端部は板状であり、横方向に広がりをもった逆T字型の形状となっている。嵌合凹部１１８は水平方向への深さをもっており、嵌合凸部１３０を水平方向へ挿入可能な孔穴となっている。嵌合凸部１３０はヒール基部１１４に比べてひとまわり小さい形状となっており、嵌合凹部１１８に嵌合凸部１３０を水平方向へはめ込むことにより、一体化する（図８）。
男性用靴において、基本的には第一実施形態と同じ構造でも本発明は成立するが、男性用靴は女性用ハイヒール靴に比べてヒール部分が低く、仮に女性用ハイヒール靴と同じ構造にした場合、嵌合凹部１１８と嵌合凸部１３０の深さが十分に取れないため、歩行時に力をささえる接触面が小さくなり、使用環境によっては破損を招く恐れがある。そこで本実施形態では、接地部１１６が垂直方向に落下するのを防止し、かつ嵌合凹部１１８と嵌合凸部１３０の接触面が十分に得られる水平方向へ嵌合する形状としている。
図９に本発明において特徴的な靴用ヒール１１０の部分断面図を示す。
嵌合凹部１１８の図中右方壁面には固定孔１２０が設けられている。該固定孔１２０の奥は開口径が拡大し、リリースボタン１２２と、該リリースボタン１２２の解除ピン１２４を狭径固定孔１２０から退避させる方向へ付勢するバネ１２６と、を備える。嵌合凸部１３０は、先端に突出自在な固定ピン１３２を備えたねじ込み部材１３４を有し、嵌合凸部１３０が嵌合凹部１１８に嵌合された状態で該固定ピン１３２は前記固定孔１２０に対応する。
本実施形態にかかる靴用ヒール１１０は概略以上のように構成され、以下にヒール基部１１４への接地部１１６の取付状態と取外し状態を説明する。
前記図９に示した、ヒール基部１１４と接地部１１６を分離した状態より、接地部１１６の嵌合凹部１１８へヒール基部１１４の嵌合凸部１３０を挿入する（図１０）。
この際、嵌合凹部１１８の開口部には固定ピン１３２に対応する位置にテーパ１３６が設けられており、固定ピン１３２はテーパ１３６に従ってねじ込み部材１３４へ後退し、挿入の妨げになることはない。
さらに嵌合凸部１３０を嵌合凹部１１８へ押し込むと、図１１に示すように嵌合凸部１３０は嵌合凹部１１８にぴったりと嵌まり込み、この状態で固定ピン１３２は固定孔１２０に位置し、ねじ込み部材１３４内の付勢バネにより、固定孔１２０内へ突出する。したがって、ヒール基部１１４より接地部１１６が抜け落ちてしまうことはない。
本実施形態において、歩行時には接地部１１６に前後、左右及び垂直圧力方向へ大きな力が加わるが、これらは基本的に嵌合凸部１３０、嵌合凹部１１８を含めた、ヒール基部１１４と接地部１１６のぴったりとした接触面全体で負担し、嵌合凸部１３０ないし、嵌合凹部１１８に破損を生じない限り、前後、左右及び垂直圧縮方向の力が固定ピン１３２に集中することなく、安定した歩行が可能である。
嵌合凸部１３０を嵌合凹部１１８より引き抜く方向に力が加わった場合にのみピン１３２に力がかかるが、本発明者らの試験によっても、実際に歩行時にこのような力が加わることはなく、極めて安定した歩行が可能である。
次に、接地部１１６を交換する際には、図１２に示すようにリリースボタン１２２をバネ１２６に抗して押し込む。そうすると、該リリースボタン１２２先端の解除ピン１２４は固定孔１２０内に押し込まれ、固定ピン１３２を固定孔１２０より押し出す。この状態でヒール基部１１４を引き出せば、容易に接地部１１６の取外しを行うことができる。このように、リリースボタン１２２の押し込みと接地部１１６の引き抜きという、通常の歩行状態では同時に起こりえない作業を同時に行うことによってのみ、接地部１１６の取外しが可能となる。
なお、前記実施形態においては、嵌合凸部をヒール基部に、また嵌合凹部を接地部に設けたが、ヒール基部に嵌合凹部を、また接地部に嵌合凸部を設けてもよい。
また、接地部は、ヒール基部に対して設置方向に設けられる部材という意味であり、接地面には他の部材をさらに設けてもよい。
【符号の説明】
【００１２】
１０、１１０      靴用ヒール
１２、１１２      靴
１４、１１４      ヒール基部
１６、１１６      接地部
１８、１１８      嵌合凹部
２０、１２０      固定孔
２２、１２２      リリースボタン
２４、２４０      解除ピン
２６、１２６      バネ
３０、１３０      嵌合凸部
３２、１３２      固定ピン
３４、１３４      ねじ込み部材
３６、１３６      テーパ
３８、            空気孔
【図１】
0006395589.tif 000002
【図２】
0006395589.tif 000003
【図３】
0006395589.tif 000004
【図４】
0006395589.tif 000005
【図５】
0006395589.tif 000006
【図６】
0006395589.tif 000007
【図７】
0006395589.tif 000008
【図８】
0006395589.tif 000009
【図９】
0006395589.tif 000010
【図１０】
0006395589.tif 000011
【図１１】
0006395589.tif 000012
【図１２】
0006395589.tif 000013